(57)【要約】      （修正有）【課題】鼾かきによって喉の軟口蓋が震えることを感知して自動的に使用者に振動を与えることにより、使用者が振動に反応して鼾かき行動を自然に止めるようにすることが可能な鼾かき防止用枕を提供する。【解決手段】使用者が枕にする枕体２１の一側には制御部１１が設けられ、前記枕体の一側中間には前記制御部に連結される振動モータ１４が設けられ、前記枕体の両側には前記制御部に連結される振動センサ１３がそれぞれ設けられてなる。【選択図】図２
0003101466.tif 000002
【実用新案登録請求の範囲】
【請求項１】
使用者が枕にする枕体（２１）の一側には制御部（１１）が設けられ、前記枕体（２１）の一側中間には前記制御部（１１）に連結される振動モータ（１４）が設けられ、前記枕体（２１）の両側には前記制御部（１１）に連結される振動センサ（１３）がそれぞれ設けられてなることを特徴とする鼾かき防止用枕。
【請求項２】
前記制御部（１１）は、制御窓（１２）に連結される、音を感知可能な音センサ（１６）を有することを特徴とする請求項１記載の鼾かき防止用枕。
【請求項３】
前記枕体（２１）がモールド型発泡ウレタン、ラテックス、カシミヤ綿及びモールド型陰イオン発泡ウレタンのいずれか一つからなることを特徴とする請求項１に記載の鼾かき防止用枕。
【考案の詳細な説明】
【技術分野】
【０００１】
本考案は、睡眠中に鼾をかく行動を止めさせる鼾かき防止用枕に係り、さらに詳しくは、鼾かきによって喉の軟口蓋が震えることを感知して自動的に使用者に振動を与えることにより、使用者が振動に反応して鼾かき行動を自然に止めるようにすることが可能な鼾かき防止用枕に関する。
【背景技術】
【０００２】
一般に、人間は一生の１／３を睡眠で過ごす。生命科学の発達に伴って人間の寿命が段々長くなっているが、人間の平均寿命を８０才としたとき、約２５年間という長い歳月を、休息を取るために睡眠するわけである。
このような睡眠中に鼾をかく人が約５００万人に至っているが、鼾かきとは睡眠中に鼻による正常的な呼吸をせず口による呼吸をするとき、吸いこんだ空気が喉付近組織の軟口蓋を振動させて音を立てることである。
ところで、手術をしても鼾をかく人があり、激しい鼾かきのせいで離婚される人もあり、睡眠中の無呼吸症によって亡くなる人もある実情である。
【特許文献１】大韓民国実用新案１９９１−００１３１３Ｕ
【特許文献２】大韓民国実用新案１９９２−０００５７５Ｕ
【考案の開示】
【考案が解決しようとする課題】
【０００３】
したがって、本考案は、かかる事情を勘案して創案されたもので、その目的は、睡眠中に鼾かきによって喉の部位が震える現象を振動センサが感知し、喉の部位に振動を与えて寝姿勢を変えさせることにより、鼾かき現象を止めさせ、ひいては宇宙船に用いられる低弾性、高密度の衝撃吸収材であるマジックフォームで枕体を構成することにより、楽な熟眠を取られるようにした鼾かき防止用枕を提供することにある。
【課題を解決するための手段】
【０００４】
上記目的を達成するために、本考案の鼾かき防止用枕は、使用者が枕にする枕体の一側には制御部が設けられ、前記枕体の一側中間には前記制御部に連結される振動モータが設けられ、前記枕体の両側には前記制御部に連結される振動センサがそれぞれ設けられてなることを特徴とする。
また、前記制御部は、制御窓に連結される、音を感知可能な音センサを有し、前記枕体はモールド型発泡ウレタン、ラテックス、カシミヤ綿及びモールド型陰イオン発泡ウレタンのいずれか一つからなる特徴とする。
【考案の効果】
【０００５】
本考案の鼾かき防止用枕によれば、鼾かきによって熟眠に支障をもたらし或いは被害を与える現象を振動によって自然に防止することができる。これは、結果的に、過重な業務や生活ストレスなどによる不満足な寝心地を良くし、朝起きたときにさっぱりしない気持ちや疲れなどを解消することができるものと期待される。
また、寝ても寝足りなくて頭が重く感じられる現象を解決してくれるし、周囲に被害を与えずにアラーム時刻に正確に振動で知らせるし、睡眠を短く取っても最高の快眠をすることができるし、一般枕の使用による首と肩の痛みを解消するし、不眠症に苦しめられる現象を防止することができるという効果を奏する。
【考案を実施するための最良の形態】
【０００６】
以下、本考案の好適な実施例を添付図面に基づいて詳細に説明する。
図１は本考案の一実施例に係る鼾かき防止用枕の斜視図、図２は本考案の一実施例に係る鼾かき防止用枕の分解斜視図である。
図示するように、本考案の一実施例に係る鼾かき防止用枕は、枕体２１の一側を他側より高くして使用者の首部を支えながら頭部を当てることができるとともに、前記枕体２１を枕にした状態で睡眠中に鼾をかくことを、感知して制御部１１によって前記枕体２１を振動させることにより、使用者の鼾かきを止めさせることができるように構成されることが好ましい。
すなわち、枕体２１の一側に制御部１１の制御窓１２が設けられ、頚椎支持部２２の底部一側に凹設された部材取付溝２３に前記制御部１１が取り付けられ、前記頚椎支持部２２の底部中央に凹設された部材取付溝２３に振動モータ１４が取り付けられ、前記枕体２１の両側に凹設された部材取付溝２３に振動センサ１３がそれぞれ取り付けられる。前記部材取付溝２３が凹設された前記枕体２１の底部はスポンジ蓋２４によって全体的に覆われる。
【０００７】
制御部１１は蓄電池１５に連結されて電源の供給を受け、前記蓄電池１５は制御窓１２の充電ジャック１７を介して外部電源から充電される。また、前記制御部１１には振動モータ１４と振動センサ１３がそれぞれ連結され、前記制御窓１２には鼾かきを感知する音センサ１６が連結される。制御部１１を除いた枕体２１は外装シート２５によって覆われる。
このような構成を有する本考案に係る鼾かき防止用枕の作動過程を考察すると、使用者が睡眠中に鼾をかいて喉の軟口蓋が震えると、振動センサ１３及び音センサ１６が軟口蓋の振動と鼾を感知して制御部１１に信号を伝達する。
制御部１１では、感知信号に応じて振動モータ１４に電源を供給して前記振動モータ１４を作動させることにより、使用者は前記振動モータ１４による振動の伝達によって自然で楽な寝姿勢に変えて鼾かき現象を防止することができる。
本考案の鼾かき防止用枕は、音センサ１６の誤作動問題を解決し且つ振動センサ１３と音センサ１６の二重感知方式を採用することにより、さらに安定で楽に使用することができ、特に米航空宇宙局で宇宙船に使用している低弾性、高密度形状記憶素材のマジックフォームを基本材料とすることにより、鼾かき防止機能の他にも楽に熟眠を可能にする。
また、既存アラームの場合、アラーム音によって周辺に無駄な影響を与えるが、本考案の鼾かき防止用枕は、他人に被害を与えることなく、定められた時刻を振動で本人にのみ知らせるようになっている。
そして、本考案の鼾かき防止用枕は、乾電池を取り替える必要がないように充電方式を採用してアダプタを充電ジャック１７に連結すると自動充電され、使用時にはアダプタを抜いた状態で使用することにより、経済的で安全である。
【０００８】
一方、図３は本考案の他の実施例に係る鼾かき防止用枕の斜視図である。図３に示すように、本考案の他の実施例に係る鼾かき防止用枕は、制御窓１２を制御部１１から離隔させて電線によって連結する。図４は本考案に係る鼾かき防止用枕の使用状態図である。
本考案の技術的思想範囲内で様々な応用実施が可能であり、このような応用実施も本考案の権利範囲に含まれるものと理解されるべきである。
【図面の簡単な説明】
【０００９】
【図１】本考案の一実施例に係る鼾かき防止用枕の斜視図である。
【図２】本考案の一実施例に係る鼾かき防止用枕の分解斜視図である。
【図３】本考案の他の実施例に係る鼾かき防止用枕の斜視図である。
【図４】本考案に係る鼾かき防止用枕の使用状態図である。
【符号の説明】
【００１０】
１１    制御部
１２    制御窓
１３    振動センサ
１４    振動モータ
１５    蓄電池
１６    音センサ
１７    充電ジャック
２１    枕体
２２    頚椎支持部
２３    部材取付溝
２４    スポンジ蓋
２５    外装シート
【図１】
0003101466.tif 000003
【図２】
0003101466.tif 000004
【図３】
0003101466.tif 000005
【図４】
0003101466.tif 000006